(57)【特許請求の範囲】
【請求項１】
ランドセルの冠せ部に装着されるシート体から形成された本体片と、
前記本体片の第１端部に設けられ、且つランドセルの冠せ部の端部に係止される係止部と、
前記本体片の第２端部に連結され、且つ前記本体片をランドセルの冠せ部に装着した際にランドセルの背当て部の上方外面に添って装着されるシート体から形成された副え片と、
前記本体片の第２端部に連結され、且つ前記本体片をランドセルの冠せ部に装着した際にランドセルの肩紐部を立ち上げるシート体から形成された起立保持片と、を有し、
前記副え片の面内には、ランドセルの肩紐部を挿通するための窓部が形成されており、
前記起立保持片が、前記窓部を塞ぐようにして前記副え片に積層され、前記副え片の両側縁に前記起立保持片が連結されており、
前記起立保持片の第１端縁と前記副え片の間に、開口を有し、
前記開口と前記窓部が、前記起立保持片と副え片の層間を通じて連通されている、ランドセル用カバー。
【請求項２】
前記起立保持片の剛性が、前記本体片の剛性よりも大きい、請求項１に記載のランドセル用カバー。
【請求項３】
さらに、前記本体片に設けられた収納部を有し、
前記収納部が設けられた部分が前記起立保持片から分離可能に構成されている、請求項１または２に記載のランドセル用カバー。
【発明の詳細な説明】
【技術分野】
【０００１】
本発明は、ランドセルの重心が使用者の背中から離れ難く、ランドセルの重みを感じ難くできるランドセル用カバーに関する。
【背景技術】
【０００２】
ランドセルは、ランドセル本体の背当て部の上方に、２つの背かん部を介して肩紐部が取り付けられている。使用者は、左右一対の肩紐部に腕を通し、背当て部を背中に当ててランドセルを背負うが、その使用中に、ランドセルの重量により、肩紐部が肩から次第にずれ、ランドセル本体が背中から離れていくことが多い。ランドセル本体が背中から離れるに従い、使用者は、ランドセルを背負い難くなると共に、その重みを感じやすくなる。
特許文献１には、ランドセルの背当て部が使用者の背中に密着し易い肩紐部構造を有するランドセルが開示されている。
しかしながら、かかる公報の考案では、その肩紐部構造を有するランドセルを使用した場合には、使用者が重みを感じ難くなるかもしれないが、かかる構造を有さない一般的なランドセルを使用した場合には、その効果を享受できない。
【先行技術文献】
【特許文献】
【０００３】
【特許文献１】実用新案登録第３１０６６８７号公報
【発明の概要】
【発明が解決しようとする課題】
【０００４】
本発明の目的は、様々なランドセルに使用できるカバーであって、ランドセルの重心が使用者の背中から離れ難く、ランドセルの重みを感じ難くできるランドセル用カバーを提供することである。
【課題を解決するための手段】
【０００５】
本発明者らは、ランドセルそのものの構造ではなく、ランドセルに装着するカバーを用いて肩紐部を起立させるという着想の下、本発明を完成した。
【０００６】
本発明のランドセル用カバーは、ランドセルの冠せ部に装着されるシート体から形成された本体片と、前記本体片の第１端部に設けられ、且つランドセルの冠せ部の端部に係止される係止部と、前記本体片の第２端部に連結され、且つ前記本体片をランドセルの冠せ部に装着した際にランドセルの背当て部の上方外面に添って装着されるシート体から形成された副え片と、前記本体片の第２端部に連結され、且つ前記本体片をランドセルの冠せ部に装着した際にランドセルの肩紐部を立ち上げるシート体から形成された起立保持片と、を有し、前記副え片の面内には、ランドセルの肩紐部を挿通するための窓部が形成されており、前記起立保持片が、前記窓部を塞ぐようにして前記副え片に積層され、前記副え片の両側縁に前記起立保持片が連結されており、前記起立保持片の第１端縁と前記副え片の間に、開口を有し、前記開口と前記窓部が、前記起立保持片と副え片の層間を通じて連通されている。
【０００７】
本発明の好ましいランドセル用カバーは、前記起立保持片の剛性が、前記本体片の剛性よりも大きい。
本発明の好ましいランドセル用カバーは、さらに、前記本体片に設けられた収納部を有し、前記収納部が設けられた部分が前記起立保持片から分離可能に構成されている。
【発明の効果】
【０００８】
本発明のランドセル用カバーをランドセルの冠せ部に装着することにより、ランドセルの重心が使用者の背中から離れ難くなる。
本発明のランドセル用カバーを使用することにより、ランドセルの重みを感じ難くなり、例えば、低学年の小学生でもランドセルを背負い易くなる。
【図面の簡単な説明】
【０００９】
【図１】第１実施形態に係るランドセル用カバーの斜視図。ランドセル用カバーの各図において、隠れ線を示す破線以外の太破線は、縫製の縫い目を示す。
【図２】同ランドセル用カバーを外面側から見た平面図。
【図３】同ランドセル用カバーを内面側から見た背面図。
【図４】図３のＩＶ−ＩＶ線で切断した拡大断面図。ただし、長手方向中途部を省略している。
【図５】図３のＶ−Ｖ線で切断した拡大断面図。
【図６】図３のＶＩ−ＶＩ線で切断した拡大断面図。
【図７】同ランドセル用カバーの分解斜視図。
【図８】一般的なランドセルの参考斜視図。ただし、全ての図において、ランドセルを二点鎖線で示している。
【図９】ランドセル用カバーをランドセルに装着する手順を示す斜視図。
【図１０】同手順を示す斜視図。
【図１１】ランドセル用カバーがランドセルに装着された状態を示す斜視図。
【図１２】図１１のＸＩＩ−ＸＩＩ線で切断した断面図。
【図１３】本発明のランドセル用カバーを装着せずにランドセルを背負ったときの状態を示す参考側面図。
【図１４】第２実施形態に係るランドセル用カバーの斜視図。
【図１５】同ランドセル用カバーの第１本体片と第２本体片の連結状態及び分離状態を示す参考側面図。
【図１６】第２実施形態のランドセル用カバーがランドセルに装着された状態を示す斜視図。
【図１７】図１６のＸＶＩＩ−ＸＶＩＩ線で切断した断面図。
【図１８】ランドセルに装着されたカバーから収納部が設けられた部分を取り外す手順を示す参考斜視図。
【図１９】第２実施形態の第１変形例に係るランドセル用カバーの斜視図。
【図２０】第２実施形態の第２変形例に係るランドセル用カバーの斜視図。
【図２１】第３実施形態に係るランドセル用カバーを内面側から見た背面図。
【図２２】図２１のＸＸＩＩ−ＸＸＩＩ線で切断した拡大断面図。ただし、長手方向中途部を省略している。
【図２３】同ランドセル用カバーをランドセルに装着し、冠せ部を外した状態を示す斜視図。
【図２４】第４実施形態に係るランドセル用カバーを外面側から見た平面図。
【発明を実施するための形態】
【００１０】
［第１実施形態］
以下、本発明の第１実施形態について図面を参照しながら説明する。
図１乃至図６において、ランドセル用カバー１は、ランドセルの冠せ部に装着される本体片２と、ランドセルの肩紐部を立ち上げ且つその立ち上げ状態を保持する起立保持片３と、を有する。本体片２は、ランドセルの冠せ部の端部に係止される係止部を有する。
本発明のランドセル用カバー１は、前記係止部を有する本体片２及び起立保持片３以外に、他の構成を有していてもよい。他の構成としては、後述する収納部などが挙げられる。
【００１１】
具体的には、ランドセル用カバー１は、ランドセルの冠せ部の外面に添って装着される本体片２と、ランドセルの冠せ部の端部に係止可能な係止部４と、前記本体片２をランドセルの冠せ部に装着した際にランドセルの背当て部の上方外面に添って装着される副え片５と、前記本体片２をランドセルの冠せ部に装着した際にランドセルの肩紐部の内側から肩紐部を立ち上げる起立保持片３と、文具などの物品を入れる収納部６と、本体片２がランドセルの冠せ部から離れないように取り付けられる取付けバンド部７と、を有する。
なお、図７は、ランドセル用カバー１を、各構成要素（本実施形態では、本体片２、係止部４、副え片５、起立保持片３、収納部６及び取付けバンド部７）に分解した斜視図である。
【００１２】
前記本体片２は、平面視略長方形状のシート体から形成されている。なお、本明細書において、略長方形状は、本発明の属する技術分野において許容される形状を意味する。例えば、前記略長方形状は、角部が角取りされている形状、辺の一部が僅かに膨らむ又は窪んでいる形状、辺が若干湾曲している形状などが含まれる。
本体片２は、柔軟なシート体Ａからなる。なお、柔軟なシート体とは、そのシート体の一端部を持ち且つ反対側の端部を自由端とした場合に、それ自身の重量によってシート体が湾曲するほどに柔らかいシート体をいう。前記柔軟なシート体Ａとしては、例えば、天然繊維、合成繊維又はこれらの混合繊維などからなる織り布又は編み布；合成樹脂シート；天然皮革又は合成皮革などが挙げられる。
平面視略長方形状の本体片２の長手方向の長さは、ランドセルの冠せ部の長さよりも小さくてもよいが、好ましくは、冠せ部の長さと略同じである。また、本体片２の短手方向の長さは、ランドセルの冠せ部の幅よりも大きくてもよいが、好ましくは、冠せ部の幅と同じ又はそれよりも小さい。図示例では、本体片２は、ランドセルの冠せ部の長さと略同じで且つ冠せ部の幅と略同じの平面視略長方形状に形成されている。ただし、本体片２の四隅部は、図示例のように、角取りされてアール化されていることが好ましい。
図示例では、本体片２は、例えば、厚み０．３ｍｍ〜２ｍｍ程度の１枚の合成繊維製の織り布から形成されている。なお、本体片２は、積層した２枚以上の柔軟なシート体から形成されていてもよい。
【００１３】
係止部４は、本体片２の長手方向の一方側の端部（以下、第１端部という）の内面に設けられている。係止部４は、例えば、２枚の柔軟なシート体Ａと、そのシート体の間に介装された芯シートＢと、からなる係止片から形成されている。例えば、前記２枚のシート体Ａと芯シートＢは、２枚のシート体Ａの間に芯シートＢを挟み込み、周縁部を縫製する又は周縁部若しくは全体を接着剤で接着するなどの方法によって一体化されている。
係止片の柔軟なシート体Ａとしては、上記本体片２を構成する柔軟なシート体と同様なものを用いることができる。係止片の芯シートＢとしては、後述する起立保持片３の芯シートとして例示したようなものを用いることができ、好ましくは、厚紙が用いられる。もっとも、係止部４（係止片）は、芯シートを有さず、柔軟なシート体Ａのみから形成されていてもよい。前記係止片は、例えば、本体片２の長手方向の長さよりも十分に小さく且つ本体片２の短手方向の長さと略同じの帯状に形成されている。
係止部４（係止片）は、本体片２の第１端部の両隅部を含む両側縁に、縫製などの方法によって連結されている。従って、係止部４の第１端縁４ａの中央部と本体片２の第１端縁の中央部の間、及び、係止部４の第２端縁４ｂと本体片２の間は、連結されておらず、それぞれの間には開口４１，４２を有する。係止部４の第２端縁４ｂと本体片２の間の開口４２から、ランドセルの冠せ部の端部を差入れ、係止部４の第１端縁４ａの中央部と本体片２の第１端縁の中央部の間の開口４１から、ランドセル用カバー１のベロ部を引き出すことにより、ランドセルの冠せ部の端部の２つの角部が本体片２の２つの隅部と係止部４の間に係止される。
【００１４】
副え片５は、本体片２の長手方向の反対側の端部（以下、第２端部という）に連結されている。副え片５は、例えば、２枚の柔軟なシート体Ａと、そのシート体の間に介装された芯シートＢと、から形成されている。例えば、前記２枚のシート体Ａと芯シートＢは、２枚のシート体Ａの間に芯シートＢを挟み込み、周縁部を縫製する又は周縁部若しくは全体を接着剤で接着するなどの方法によって一体化されている。副え片５の柔軟なシート体Ａとしては、上記本体片２を構成する柔軟なシート体と同様なものを用いることができる。副え片５の芯シートＢとしては、後述する起立保持片３の芯シートとして例示したようなものを用いることができ、好ましくは、厚紙が用いられる。もっとも、副え片５は、芯シートを有さず、柔軟なシート体Ａのみから形成されていてもよい。
副え片５は、例えば、本体片２の長手方向の長さよりも小さく且つ本体片２の短手方向の長さと略同じの平面視略長方形状に形成されている。
副え片５と本体片２は、別々のシート体から形成され、それらの端部を縫製などの方法によって連結してもよいし、副え片５と本体片２は、一体的に形成されていてもよい。
図示例では、本体片２と副え片５の一方のシート体とが、１枚の柔軟なシート体Ａから一体的に形成され、副え片５は、それに芯シートＢともう一方の柔軟なシート体Ａを積層することによって構成されている。
【００１５】
また、副え片５の面内には、ランドセルの肩紐部を挿通するための窓部５９が開口されている。この窓部５９は、本体片２の短手方向を長手とし且つ本体片２の長手方向を短手とする平面視細長い長方形状に形成されている。
【００１６】
起立保持片３は、本体片２の第２端部に連結されている。起立保持片３は、本体片２よりも剛性の大きいシート体から形成されている。例えば、起立保持片３は、２枚の柔軟なシート体Ａと、そのシート体の間に介装された芯シートＢと、から形成されている。起立保持片３の柔軟なシート体Ａとしては、上記本体片２を構成する柔軟なシート体と同様なものを用いることができる。起立保持片３の芯シートＢとしては、例えば、厚紙、硬質合成樹脂板、木質板、金属板、セラミック板などが挙げられる。好ましくは、芯シートＢとしては、厚紙又は硬質合成樹脂板が用いられる。柔軟なシート体Ａと一緒に縫製できることから、厚紙がより好ましい。厚紙の厚みとしては、例えば、１ｍｍ〜８ｍｍが好ましく、さらに、１．５ｍｍ〜４ｍｍが好ましい。厚み１ｍｍ未満の厚紙では、剛性が小さく、肩紐部の起立状態を保持することが困難となるおそれがあり、厚み８ｍｍを超えると加工が困難となる上、重量的に重くなる。坪量では、例えば、芯シートＢは、５００ｇ／ｍ２以上の厚紙が好ましく、７００ｇ／ｍ２以上の厚紙がより好ましい。
厚紙は、一般的な製造方法で得られた単層又は多層構造の紙質材である。厚紙の製造方法は、特に限定されず、木材パルプ（化学パルプ、機械パルプ）、非木材パルプ、古紙パルプと、必要に応じて添加した填料やその他薬品等を水に分散した紙料を抄紙機のワイヤー上に噴射し、ワイヤーパートで脱水、ドライヤーパートで乾燥して製造する。また、必要に応じて、厚紙に強度や耐水性を付与するためにＰＶＡ、デンプンなどの薬品を添加してサイズプレス等で紙表面を処理してもよい。
また、硬質合成樹脂板としては、例えば、厚み０．５ｍｍ〜３ｍｍのアクリル板などが挙げられる。
起立保持片３は、前記芯シートＢを含むので、起立保持片３の剛性は本体片２の剛性よりも大きい。なお、剛性は、曲げの力に対する変形し難さをいう。
【００１７】
起立保持片３は、例えば、本体片２の長手方向の長さよりも小さく且つ本体片２の短手方向の長さと略同じの平面視略長方形状に形成されている。例えば、起立保持片３は、副え片５と略同形同大に形成されている。
起立保持片３は、窓部５９を塞ぐようにして副え片５の外面に積層され、起立保持片３の両側縁及び第２端縁３ｂは、それぞれ副え片５の両側縁及び第２端縁５ｂに、縫製などの方法によって連結されている。従って、起立保持片３の第１端縁３ａと副え片５の間は、連結されておらず、その間には開口３１を有する。この開口３１と副え片５の窓部５９は、起立保持片３と副え片５の層間を通じて連通している。このため、ランドセルの肩紐部を窓部５９を通じて開口３１から引き出すことができる。
なお、副え片５は、本体片２の第２端部に連結されているので、起立保持片３は、副え片５を介して本体片２に連結されているとも言える。
【００１８】
収納部６は、例えば、柔軟なシート体Ａを袋状に形成したものであり、その内部に様々な物品を収納できる。また、収納部６の出し入れ口には、例えば、ファスナーが取り付けられている。なお、図示例の収納部６は、大小２つの収納部６から構成されているが、１つでもよく、３つ以上でもよい。収納部６は、本体片２の外面に縫製などの方法によって取り付けられている。
取付けバンド部７は、本体片２の長手方向の中途部の内面に設けられている。取付けバンド部７は、例えば、２枚の柔軟なシート体Ａと、そのシート体の間に介装された芯シートＢと、からなるバンド片から形成されている。前記２枚のシート体Ａと芯シートＢは、２枚のシート体Ａの間に芯シートＢを挟み込み、周縁部を縫製する又は周縁部若しくは全体を接着剤で接着するなどの方法によって一体化されている。バンド片の柔軟なシート体Ａとしては、上記本体片２を構成する柔軟なシート体と同様なものを用いることができ、バンド片の芯シートＢとしては、上記起立保持片３の芯シートとして例示したようなものを用いることができ、好ましくは、厚紙が用いられる。もっとも、バンド片は、芯シートを有さず、柔軟なシート体Ａのみから形成されていてもよい。取付けバンド部（バンド片）は、例えば、本体片２の長手方向の長さよりも十分に小さく且つ本体片２の短手方向の長さと略同じの帯状に形成されている。
取付けバンド部７（バンド片）は、本体片２の中途部の両側縁に、縫製などの方法によって連結されている。従って、取付けバンド部７の第１端縁７ａ及び第２端縁７ｂと本体片２の間は、それぞれ連結されておらず、それらの間には開口７１，７２を有する。取付けバンド部７の第２端縁７ｂと本体片２の間の開口７２からランドセルの冠せ部の端部を差入れ、取付けバンド部７の第１端縁７ａと本体片２の間の開口７１から冠せ部を引き出すことにより、ランドセルの冠せ部が、本体片２と取付けバンド部７の間に挟持される。
なお、各図の符号Ｃは、本体片などの周縁の解れ防止又は補強のための端処理用の布地を示す。
【００１９】
次に、本発明のランドセル用カバー１の使用方法を説明する。
図８は、一般的なランドセルを表した斜視図である。
図８において、ランドセル９は、ランドセル本体９１と、ランドセル本体９１の背当て部９２の上方から延設され、且つランドセル本体９１の収納空間を塞ぐ帯状の冠せ部９３と、冠せ部９３の端部から延設されたベロ部９４（ただし、図８には、ベロ部は表されていない）と、背当て部９２の上方に取り付けられた２つの背かん部９５を介して背当て部９２に取り付けられた肩紐部９６と、を有する。肩紐部９６の後端部は、背かん部９５に対して着脱不能に取付けられているが、肩紐部９６の先端部は、バックルなどによってランドセル本体９１の底面部９７に着脱可能に取り付けられている。
【００２０】
このランドセル９の肩紐部９６の先端部９６１をランドセル本体９１から外し、図９に示すように、ランドセル用カバー１の内面側から窓部５９に差入れる。続いて、肩紐部９６を起立保持片３の第１端縁と副え片５の間の開口３１から引き出す。
次に、ランドセル９の冠せ部９３のベロ部９４をランドセル本体９１から外し、ベロ部を取付けバンド部７の第２端縁７ｂと本体片２の間の開口に差入れた後、取付けバンド部７の第１端縁７ａと副え片５の間の開口３１から引き出すことにより、冠せ部９３を取付けバンド部７と本体片２の間に挿通する（図１０参照）。さらに、冠せ部９３のベロ部９４を、係止部４の第２端縁と本体片２の間の開口から差入れた後、係止部４の第１端縁の中央部と本体片２の第１端縁の中央部の間の開口から引き出すことにより、図１０に示すように、ランドセル９の冠せ部９３の２つの角部が本体片２の２つの隅部と係止部４の間に係止される。
ランドセル用カバー１の本体片２の第１端部を冠せ部９３の端部に係止させることにより、ランドセル用カバー１の本体片２が冠せ部９３から離れないように冠せ部９３に装着される。
【００２１】
そして、図１１に示すように、本体片２が取り付けられた冠せ部９３を、ランドセル本体９１の収納空間を覆うように元の位置に戻し、ベロ部９４をランドセル本体９１の底面部９７に取り付ける。
本体片２を伴った冠せ部９３を元の位置に戻すと、図１２に示すように、ランドセル用カバー１の本体片２の全部と副え片５の一部５１は、冠せ部９３の湾曲に従って湾曲する。また、副え片５の残りの部分５２は、ランドセル９の背当て部９２に添うようになる。本体片２が冠せ部９３に装着された状態で、起立保持片３の第１端縁３ａは、肩紐部９６の背当て部９２に対する取付け部分（例えば、背かん部９５）よりも上方に突出するようになる。なお、本体片２の第１端部は、係止片４を介して冠せ部９３の第１端部に係止されているので、本体片２を伴った冠せ部９３を元に戻すと、起立保持片３は本体片２に引っ張られる。このため、起立保持片３は、ランドセル９の背当て部９２と略平行となって上方に起立し且つその起立状態が保持される。
そして、ランドセル用カバー１の窓部５９に差入れられたランドセル９の肩紐部９６は、起立保持片３の内面側から起立保持片３の第１端縁３ａを越えて外部に延出され、冠せ部９３とは反対側に湾曲する。かかる肩紐部９６は、起立保持片３によって内側から支持されるので、背当て部９２への取付け部分から背当て部９２に添って上方に立ち上がった後、冠せ部９３とは反対側に湾曲する。
【００２２】
本発明のランドセル用カバー１をランドセル９に装着すると、図１２に示すように、２つの肩紐部９６が背当て部９２に添って立ち上がるので、使用者の背中からランドセル９が離れ難くなる。このため、ランドセル９の重心が使用者の背中から離れ難くなり、使用者は、ランドセル９の重みを感じ難くなる。特に、剛性の大きい起立保持片３を用いることにより、起立保持片３が曲がり難くなるので、ランドセル用カバー１を装着したランドセル９を長時間背負っていても、肩紐部９６の立ち上がりを維持できるようになる。
図１３は、本発明のランドセル用カバーを装着していない、ランドセルを背負ったときの肩紐部９６の状態を表した参考側面図である。図１２と図１３を比べると明らかなように、本発明のランドセル用カバー１を装着したランドセル９は、肩紐部９６が背当て部９２に添って立ち上がっている。
本発明のランドセル用カバー１は、肩紐部９６と冠せ部９３を有する一般的なランドセル９に簡単に装着でき、且つ、その装着によって上記効果を奏する。つまり、本発明のランドセル用カバー１は、新たにランドセルを購入しなくても、既存のランドセルに装着することにより、そのランドセルを使用感に優れたものに変化させることができる。
【００２３】
なお、ランドセル用カバー１には、上述のように、収納部６を適宜具備させることができるので、ランドセル９の付随的な収納バッグとして利用することもできる。
収納部６に、例えば、ノート、体操着、体育館シューズ、小物類、学校からの連絡ノート、防犯ブザー、ＧＰＳ機能を有する電子機器などを入れることが挙げられる。
また、収納部６などのランドセル用カバー１の適宜な箇所に、光を反射する反射シートを取り付けることにより、夕暮れ時や夜間時の安全も確保できる。
さらに、収納部６の外面に、その外面との間に隙間を開けて透明なシート材（図示せず）を取付け、そのシート材と収納部６の外面との隙間に、適宜な表示が印刷された印刷シートを挿入してもよい。例えば、学校名を表示した印刷シート、安全を呼びかけるフレーズが表示された印刷シートなどを前記隙間に挿入することにより、地域住民が使用者（児童）の登下校時の安全を監視することを期待できる。
【００２４】
なお、本発明のランドセル用カバーは、上記第１実施形態に限られず、本発明の意図する範囲で様々に設計変更できる。以下、本発明の他の実施形態を説明するが、上記第１実施形態と同様の構成及び効果については、その説明を省略し、用語及び符号をそのまま援用する場合がある。
【００２５】
［第２実施形態］
第２実施形態のランドセル用カバー１は、収納部が設けられた部分が起立保持片から分離可能とされている点で上記第１実施形態と異なっている。
具体的には、図１４及び図１５に示すように、本実施形態の本体片２は、第１本体片２１と第２本体片２２の２つに分割されている。第１本体片２１と第２本体片２２は、着脱可能であり、第１本体片２１と第２本体片２２を連結することによって本体片２が構成される。なお、符号８４は、本体片２に設けられた吊り下げ環部である。
第１本体片２１の外面には、収納部６が設けられている。また、第１本体片２１の第２端部の外面には、手提げ部８１が設けられている。手提げ部８１は、例えば、バンドの両端部を第１本体片２１の外面に固着することによって形成されている。また、第１本体片２１の第２端部の内面には、面ファスナーの第１面８２が設けられている。第２本体片２２の第１端部の内面には、面ファスナーの第２面８３が設けられている。面ファスナーの第１面と第２面は、互いに係合し合って接合するものであり、例えば、第１面が、無数のループ部を有し、第２面が、無数のフック部を有する（又は、第１面が、無数のフック部を有し、第２面は、無数のループ部を有する）。
なお、第１本体片２１の第１端部の内面には、上記係止部４が設けられている。また、第２本体片２２の内面には、上記取付けバンド部７が設けられている。さらに、第２本体片２２の第２端部には、上記副え片５及び起立保持片３が連結されている。
本実施形態のランドセル用カバー１は、図１５に示すように、係合手段である面ファスナーの第１面８２と第２面８３の係合を解除することにより、収納部６が設けられた第１本体片２１を起立保持片３を含む第２本体片２２から分離できる。また、分離した第１本体片２１の第１面８２と第２本体片２２の第２面８３を重ね合わすことにより、面ファスナーが係合し、ランドセル用カバー１を構成できる。
【００２６】
本実施形態のランドセル用カバー１も、図１６及び図１７に示すように、上記第１実施形態と同様にしてランドセル９に装着される。
そして、図１８に示すように、ランドセル９の冠せ部９３のベロ部９４をランドセル本体９１から外し、第１本体片２１を第２本体片２２から分離することにより、収納部６を有する第１本体片２１（収納部が設けられた部分）をランドセル９から取り外すことができる。つまり、上記第１実施形態では、起立保持片３をランドセル９の肩紐部９６から外さなければランドセル用カバー１をランドセル９から取り外すことができないが、本実施形態のランドセル用カバー１によれば、必要に応じて、収納部６が設けられた部分のみをランドセルから容易に分離して持ち運びできる。特に、手提げ部８１が設けられているので、収納部６が設けられた部分を手提げ鞄のように携帯できる。なお、収納部６が設けられた部分を分離した後、再びランドセル９に取り付けることも容易に行うことができる。
【００２７】
上記では、第１本体片２１と第２本体片２２が面ファスナーを介して着脱可能とされているが、係合手段は面ファスナーに限定されず、例えば、図１９に示すように、ボタン８５とボタン穴８６（図示例の場合には、第１本体片２１にボタン穴８６が形成され、第２本体片２２にボタン８５が取り付けられている）によって第１本体片２１と第２本体片２２が着脱可能とされていてもよく、或いは、図２０に示すように、ファスナー８７（図示例の場合には、第１本体片２１の縁と第２本体片２２の縁がファスナー８７によって連結される）によって第１本体片２１と第２本体片２２が着脱可能とされていてもよい。その他、図示しないが、第１本体片２１と第２本体片２２を紐結びで連結する、ハトメホックで連結する、バックルなどの金具で連結するなどの係合手段を用いてもよい。
さらに、上記では、本体片２が、収納部６を有する第１本体片２１と、第２本体片２２とから構成されているが、収納部６を有する本体片２そのものが起立保持片３に分離可能で且つ着脱可能な構成とされていてもよい。
【００２８】
［第３実施形態］
また、上記各実施形態では、収納部６は本体片２の外面のみに設けられているが、図２１及び図２２に示すように、収納部６１を本体片２の内面側に設けてもよい。図示例では、この収納部６１は、２枚の柔軟なシート体Ａを重ね合わせ且つその３方を塞いだ上面開口型の袋体からなる。この収納部６１は、例えば、連結片６２を介して取付けバンド部７に連結されている。なお、図示例では、本体片２の外面に収納部６が設けられ且つ本体片２の内面に収納部６１が設けられているが、本体片２の外面又は内面の何れか一方だけに収納部が設けられていてもよい。
本体片２の内面側に収納部６１が設けられたランドセル用カバー１も、上記各実施形態と同様の手順でランドセル９に装着される。このランドセル用カバー１は、ランドセル９に装着すると、図２３に示すように、収納部６１がランドセル本体９１の収納空間内に納まるようになる。
また、本発明のランドセル用カバー１は、収納部を有することが好ましいが、収納部は必ず設けられていなければならないわけではない。
【００２９】
［第４実施形態］
上記各実施形態では、起立保持片３の第１端縁３ａは、本体片２の短手方向に延びる直線状に形成されているが、これに限定されず、例えば、図２４に示すように、起立保持片３の第１端縁３ａが、中央部が本体片２の短手方向に延びる直線状で且つ両側部が本体片２の短手方向に対して傾斜状に延びている形態であってもよい。
また、上記実施形態では、ランドセル用カバー１は、副え片５、収納部６及び取付けバンド部７を有するが、本発明のランドセルカバー１は、これらの構成要素から選ばれる少なくとも１つを有さなくてもよい。例えば、副え片を有さない場合、本体片２と起立保持片３との間に２つの肩紐部を挿通可能な開口３１を確保しつつ、本体片２の第２端部に起立保持片３を連結することにより、ランドセルの重心が使用者の背中から離れ難い本発明のランドセル用カバーを構成できる。
その他、本発明のランドセル用カバーは、上記各実施形態に限られず、適宜な構成要素を付加、変更、又は省略できる。
【符号の説明】
【００３０】
１  ランドセル用カバー
２  本体片
３  起立保持片
４  係止部
５  副え片
６  収納部
９  ランドセル
９１  ランドセル本体
９３  ランドセルの冠せ部
９６  ランドセルの肩紐部
【図１】
0006583811.tif 000002
【図２】
0006583811.tif 000003
【図３】
0006583811.tif 000004
【図４】
0006583811.tif 000005
【図５】
0006583811.tif 000006
【図６】
0006583811.tif 000007
【図７】
0006583811.tif 000008
【図８】
0006583811.tif 000009
【図９】
0006583811.tif 000010
【図１０】
0006583811.tif 000011
【図１１】
0006583811.tif 000012
【図１２】
0006583811.tif 000013
【図１３】
0006583811.tif 000014
【図１４】
0006583811.tif 000015
【図１５】
0006583811.tif 000016
【図１６】
0006583811.tif 000017
【図１７】
0006583811.tif 000018
【図１８】
0006583811.tif 000019
【図１９】
0006583811.tif 000020
【図２０】
0006583811.tif 000021
【図２１】
0006583811.tif 000022
【図２２】
0006583811.tif 000023
【図２３】
0006583811.tif 000024
【図２４】
0006583811.tif 000025